(57)【特許請求の範囲】
【請求項１】
排水性の舗装路面Ｒの路面に設けた排水設備Ｓに適用される排水構造であって、
排水設備Ｓは、コンクリート製の本体部３と、本体部３にアンカーボルト６を介して一体に固設してある金属製の受枠４と、受枠４に嵌め込み装填される蓋体５とを含み、
受枠４は、その上端面が舗装路面Ｒの表層２の表面と面一状になるよう配置されており、
表層２内に浸透した雨水等を排水設備Ｓ内の排水路７へと流下案内する排水導体１０が、路面中央へ向かって突出する状態で、路面側の受枠４に通設した排水通口１３の外面に固定されており、
排水導体１０は、周壁に一群の通水口１４が開口してある、管材ないし形材からなる金属中空体製の導水体１２を含み、その少なくとも一部が表層２中に埋設してある排水性舗装路面の排水構造。
【請求項２】
既成ブロックからなる本体部３の上端に、受枠４と、表層２の側縁に接する受壁部３ａとが内外に隣接する状態で配置されており、
排水導体１０が、路面側の受枠４に固定されて受壁部３ａを内外に貫通する支持体１１と、表層２の敷設時に支持体１１に装填されて表層２中に埋設される導水体１２とで構成されている請求項１記載の排水性舗装路面の排水構造。
【請求項３】
施工現場においてコンクリートを打設して形成される本体部３の上端に、受枠４が本体部３と一体に固設されており、
表層２の側縁と接する受枠４の立壁４ｂに、排水導体１０が固定してある請求項１記載の排水性舗装路面の排水構造。
【請求項４】
排水性の舗装路面Ｒの路肩に設けた排水設備Ｓに適用される排水構造であって、
排水設備Ｓは、コンクリート製の既成ブロックからなる本体部３と、本体部３の上部に固設される金属製の受枠４と、受枠４に嵌め込み装填される蓋体５とを含み、
舗装路面Ｒの表層２の側縁と接する本体部３の外面と、本体部３の内面との間に、表層２内に浸透した雨水等を排水路７へ流下案内する排水導体１０が、路面中央へ向かって突出する状態で受枠４の下面に固定されており、
排水導体１０は、周壁に一群の通水口１４が開口してある、管材ないし形材からなる金属中空体製の導水体１２を含み、その少なくとも一部が表層２中に埋設してある排水性舗装路面の排水構造。
【請求項５】
排水導体１０が、受枠４に固定されて本体部３の肉壁内に埋設される支持体１１と、表層２の敷設時に支持体１１に装填されて、表層２中に埋設される導水体１２とで構成されている請求項４記載の排水性舗装路面の排水構造。
【発明の詳細な説明】
【０００１】
【発明の属する技術分野】
この発明は、排水性舗装路面に適用されて、透水性を有する表層から浸透し、不透水性の基層に沿って流下する雨水等を、側溝や排水桝へ排水するための排水構造に関する。
【０００２】
【従来の技術】
この種の排水構造として、側溝の溝蓋や排水桝の桝蓋等を受ける金属製の受枠を利用した排水構造がある（特開平１０−３７２８６号公報）。そこでは、受枠を表層と面一状に埋設したうえで、表層と隣り合う受枠の立壁部の基端隅部に一群の水抜き穴を通設して、溝蓋や桝蓋の周辺路面での滞水を防止している。特開平１０−１８３７２８号公報においては、断面Ｌ字形の縁石に沿って、下向きに開口するコ字形断面の集水体を表層と面一状に埋設し、集水体内に流入した雨水等を、縁石あるいは側溝に設けた斜めの水抜き穴を介して排水している。集水体は金属製の枠体からなり、その上面および側面にはそれぞれ通水穴が多数通設してある。
【０００３】
【発明が解決しようとする課題】
溝蓋や桝蓋用の受枠は、側溝等の現場打設時に側溝と一体化する場合と、成形用金型を用いて側溝ブロックを成形する際に一体化する場合とがある。多くの場合は、工期を短縮するために予め成形した側溝ブロックや桝ブロックを施工現場へ運び込み、これら既成ブロックを組み立てて側溝や排水桝を構築している。このように既成ブロックを用いる場合はもちろん、現場打設によって側溝等を構築する際には、上記のような排水構造をいかに少ない手間で構築するかが問題となる。
【０００４】
先の受枠を表層と面一状に埋設するものでは、基層に沿って流下する雨水が受枠に達するまで、雨水を排出できない。そのため、降水量が多いような場合に、表層に滞水を生じやすく、スリップ等を生じやすい。集水体を縁石に沿って埋設する形式では、施工現場において集水体を縁石に対してボルトで締結し、あるいはモルタルを流し込む等により縁石と一体化する必要があるので、その分だけ余分な手間が掛かる。縁石の設置距離と同じ長さの集水体を埋設するので、排水構造の全体コストが高く付く不利もある。受枠の上壁が路面に露出するので、滑りやすく安全性に問題がある。受枠および集水体には、それぞれ一群の通水穴や水抜き穴を通設するので、その分だけ受枠や集水体の耐荷重が減少する不利もある。
【０００５】
この発明の目的は、表層に浸透した雨水を速やかに排出できるうえ、構造が簡単で施工に要する手間を削減でき、従って排水構造の構築コストを低減できる排水性舗装路面に好適な排水構造を提供することにある。この発明の他の目的は、排水構造の全体を表層ないし排水設備中に埋設でき、従って排水設備に起因するスリップ等を防止できる安全性に優れた排水構造を提供することにある。この発明の他の目的は、既成ブロックに受枠と排水路とを一体的に設けておくことにより、施工現場において排水構造をより少ない手間で簡単に構築できるうえ、その構成部品を低コストで形成できるようにすることにある。
【０００６】
【課題を解決するための手段】
この発明は、排水性の舗装路面Ｒの路面に設けた排水設備Ｓに適用される排水構造を対象とする。その排水設備Ｓは、図１および図２に示すごとくコンクリート製の本体部３と、本体部３にアンカーボルト６を介して一体に固設してある金属製の受枠４と、受枠４に嵌め込み装填される蓋体５とを含む。受枠４は、その上端面が舗装路面Ｒの表層２の表面と面一状になるよう配置する。表層２内に浸透した雨水等を排水設備内の排水路７へと流下案内するための排水導体１０を、路面中央へ向かって突出する状態で、路面側の受枠４に通設した排水通口１３の外面に固定する。排水導体１０は、周壁に一群の通水口１４が開口してある、管材ないし形材からなる金属中空体製の導水体１２を含み、その少なくとも一部が表層２中に埋設される。
【０００７】
具体的には、既成ブロックからなる本体部３の上端に、受枠４と、表層２の側縁に接する受壁部３ａとを内外に隣接する状態で配置する。排水導体１０は、路面側の受枠４に固定されて受壁部３ａを内外に貫通する支持体１１と、表層２の敷設時に支持体１１に装填されて表層２中に埋設される導水体１２とで構成する。
【０００８】
施工現場で、コンクリートを打設して形成される本体部３においては、その上端に、受枠４を本体部３と一体に固設する。表層２の側縁と接する受枠４の立壁４ｂには先の排水導体１０が固定されている。
【０００９】
この発明の別の排水構造における排水設備Ｓは、図３に示すごとくコンクリート製の既成ブロックからなる本体部３と、本体部３の上部に固設されている金属製の受枠４と、受枠４に嵌め込み装填される蓋体５とを含む。舗装路面Ｒの表層２の側縁と接する本体部３の外面と、本体部３の内面との間に、表層２内に浸透した雨水等を排水路７へ流下案内する排水導体１０を、路面中央へ向かって突出する状態で受枠４の下面に固定する。
【００１０】
上記の排水導体１０は、受枠４に固定されて本体部３の肉壁内に埋設される支持体１１と、表層２の敷設時に支持体１１に装填されて、表層２中に埋設される導水体１２とで構成する。
【００１１】
【作用および発明の効果】
例えば管材で形成した排水導体１０を予め受枠４に固定しておき、その状態の受枠４をコンクリート製の本体部３にアンカーボルト６を介して一体に固設するので、施工現場において排水構造を構築する際に、受枠４や排水導体１０を本体部３や基層１等に対して固定する必要がなく、その分だけ施工の手間を省くことができる。表層２内に浸透した雨水は、基層１の勾配に沿って流下するが、道路中央へ向かって突設した導水体１２を介して、雨水を速やかに排水路７へ排出するので、降雨量が多い場合であっても、表層２に滞水するのをよく防止できる。また、雨水の一部は、受枠４にせき止められるが、せき止められた雨水は受枠４に沿って流動し、真近の排水導体１０を介して排水路７へと流下排出される。このように受枠４で集水し、受枠４に沿って適当間隔おきに設けた排水導体１０を介して排水を行うと、排水部品として排水導体１０を付加するだけで済むので、先のように施工の手間を省くことができることも相俟って、全体として排水構造を低コストで構築できる。排水構造の全体を表層２および本体部３に埋設するので、排水構造に起因するスリップ等を防止でき、その分だけ安全性を向上できる。受枠４これ自体に一群の水抜き穴を通設する従来の排水構造に比べて、受枠４の耐荷重が著しく低下することもない。長さが大小に異なる導水体１２を使い分けることにより、排水導体１０の排水能力を増減できる点でも有利である。
【００１２】
既成ブロックからなる本体部３で排水設備Ｓを構築する場合には、本体部３を成形する際に受枠４を一体に固設する。さらに、排水導体１０を支持体１１と導水体１２とで構成しておき、支持体１１を受枠４と共に本体部３に固設する。このようにすると既存のブロック製造金型がそのまま使用できる。導水体１２は、表層２を形成する前に支持体１１に差し込み装填して、その一部を表層２の積層領域に突出させておく。支持体１１は受枠４に予め固定しておくことが望ましく、例えば溶接しておく。このように、支持体１１と導水体１２とで排水導体１０を構成すると、排水構造を構築する際に、支持体１１に対して導水体１２を単に差し込み装填するだけで排水導体１０を形成できるので、施工の手間を省くことができる。支持体１１は受壁部３ａの肉壁内に埋設されるので、受壁部３ａの補強材としても機能する。
【００１３】
図４に示すように施工現場でコンクリートを打設して本体部３を形成する場合には、予め排水導体１０を受枠４に固定しておき、その状態の受枠４を本体部３の上端にアンカーボルト６を介して本体部３と一体化する。
【００１４】
図３に示すように表層２の側縁と接する本体部３の外面と、本体部３の内面との間の肉壁内に、雨水等を流下案内する排水導体１０を設け、排水導体１０を受枠４の下面に固定する排水構造によれば、受枠４に排水通口１３を通設する必要がないので、その分だけ加工の手間を省き、排水構造を低コストで構成できる。本体部３の受壁部３ａが省略され、受枠４の立壁４ｂが表層２の側縁と接する場合にも、排水導体１０を支障なく設けることができる。
【００１５】
排水導体１０を、受枠４に固定される支持体１１と、表層２中に埋設される導水体１２とで構成すると、表層２の敷設に先行して、導水体１２を支持体１１に差し込むだけで排水構造を形成でき、従来の排水構造に比べてその構築の手間を省くことができる。
【００１６】
【実施例】
（第１実施例）
図１および図２はこの発明に係る排水構造の第１実施例を示す。図２において、符号Ｒは高速道路等に適用した排水性の舗装路面、Ｓは路面の路肩に沿って構築された側溝（排水設備）である。舗装路面Ｒは、水を通さない基層１と、基層１上に積層敷設した水を通す表層２とで構成してある。基層１および表層２は、それぞれ路面中央から路肩へ向かって下り勾配となるように形成される。基層１は路盤上にアスファルト舗装、あるいはコンクリート舗装を施して形成してあり、表層２は連続空隙を有する透水性アスファルト舗装、あるいは透水性コンクリート舗装等を施して形成してある。
【００１７】
側溝Ｓは、既成のコンクリートブロックからなる本体部３と、本体部３の上端に設けた受枠４と、受枠４に嵌め込み装填される溝蓋（蓋体）５とからなる。本体部３は断面Ｕ字形のブロックからなり、成形用の金型を用いて工場生産される。
【００１８】
図１において受枠４は、直交状に折れ曲がる座壁４ａと立壁４ｂとを有する断面Ｌ字形の鋼製枠体からなり、その立壁４ｂの下端の長手方向数個所にアンカーボルト６を溶接する。さらに、立壁４ｂの長手方向の数個所には、後述する支持体１１を立壁４ｂと直交する状態で溶接する。
【００１９】
雨天時に舗装路面Ｒに降りそそいだ雨水は、表層２に浸透した後、基層１に受け止められて側溝Ｓへ向かって流下する。この流下水を滞りなく側溝Ｓ内の排水路７へ排出するために、受枠４の長手方向に沿って、排水導体１０を道路中央へ向かって突出する状態で一定間隔おきに設ける。排水導体１０は、先の受枠４に固定した支持体１１と、支持体１１に装填されて、表層２の側縁と接する本体部３の受壁部３ａより外側方へ突出する導水体１２とで構成する。支持体１１は断面円形の鋼管を、受壁部３ａの厚み寸法と同じ長さに切断して形成してあり、受壁部３ａを内外に貫通している。支持体１１に臨む立壁４ｂには、支持体１１の内底面に連通する状態で小径の排水通口１３が通設してある。導水体１２は、支持体１１の内直径寸法より僅かに小さな外直径の鋼管からなり、その周壁には多数の通水口１４が通設されている。このように既成の鋼管を素材にして、その周壁に丸穴からなる通水口１４の一群をドリルで通して形成した導水体１２によれば、例えば通水口１４が打ち抜いてある板材を管状に曲げて導水体１２を形成する場合に比べて、導水体１２を低コストで形成できる。
【００２０】
溝蓋５は四角形に組まれた基枠５ａ内に、断面Ｉ形の耐力枠５ｂを一定間隔おきに配置しその両端を基枠５ａに溶接して構成してある。溝蓋５の幅寸法は、左右一対の受枠４における立壁４ｂの対向寸法より小さく設定してあり、従って、溝蓋５を受枠４内に落とし込むだけで、簡単に嵌め込むことができる。
【００２１】
側溝Ｓと舗装路面Ｒ、および排水構造は、次の手順で構築する。本体部３を埋設するための溝を開削し、路盤を整備した後、本体部３を溝内に設置して位置決めする。この状態で基層１を形成する。このときの基層１の表面は、受枠４に固定した支持体１１の開口面の内底と面一状とするが、僅かに低くなるようにする。基層１を形成した後、本体部３を設置してもよい。次に導水体１２を路面の側から支持体１１内に差し込み装填し、その大半を基層１上に露出させ、かつ路面中央へ向かって突出させる。この状態で表層２を形成し、導水体１２の露出部分を表層２中に埋設する。最後に溝蓋５を受枠４に嵌め込んで側溝を完成する。
【００２２】
以上のように、この実施例の排水構造によれば、本体部３を設置した後、導水体１２を支持体１１に差し込むだけで排水導体１０を形成でき、排水構造を構築する際の施工の手間を削減できる。基層１に沿って流れてきた雨水の一部は、導水体１２の突端開口や、その周壁に設けた通水口１４から導水体１２内へ流入し、受枠４に通設した排水通口１３を介して受枠４内へ流入し、やがて排水路７へと流下する。表層２に浸透した雨水の一部は基層１の勾配下端において本体部３の受壁部３ａにせき止められ、受壁部３ａに沿って流動し、真近の導水体１２に達した時点で、その排水通口１３から導水体１２内へ流れ込み、上記のようにして排水路７へ排水される。
【００２３】
（第２実施例）
図３はこの発明に係る排水構造の第２実施例を示す。そこでは、第１実施例の排水構造と比べて、排水導体１０を受枠４の下面に一体的に配置する点に違いがある。詳しくは、受枠４の下面に支持体１１を溶接し、既成のコンクリートブロックからなる本体部３を成形する際に、アンカーボルト６および支持体１１を本体部３の肉壁内に埋設する。支持体１１の一端は表層２の側縁と接する受壁部３ａの外面において開口し、他端は本体部３の内面で開口している。排水導体１０は、支持体１１と表層２の敷設時に支持される導水体１２とからなり、導水体１２の殆どの部分は表層２中に埋設される。支持体１１の管内面には、導水体１２の差し込み限界を規定する突起１１ａを設けておく。他は第１実施例と同じであり、同一部材に同じ符号を付してその説明を省略する。以下の実施例等においても同じ扱いとする。
【００２４】
このように、支持体１１を受枠４の下面に溶接すると、受枠４に排水通口１３を通設する必要がないので、その分だけ加工の手間を省くことができる。受壁部３ａを省略した状態の本体部３を形成する場合であっても、排水導体１０を支障なく設けることができる。なお排水導体１０は、導水体１２を受枠４の下面に溶接して、導水体１２のみで形成することができる。この場合には、表層２内に埋設される導水体１２の周壁部分に限って通水口１４を形成しておけば足りる。
【００２５】
（第３実施例）
図４は側溝Ｓの本体部３が、施工現場において組んだ型枠に生コンクリートを流し込んで形成される場合の排水構造の第３実施例を示す。そこでは、側溝用の溝を開削したのち、路盤上の基層１を形成する。次いで開削した溝の内部に本体部３を形成するための型枠を組む。受枠４は第１実施例と同様に形成し、型枠に固定しておく。この場合の排水導体１０は、第１実施例における導水体１２のみで形成し、その一端を受枠４の立壁４ｂに溶接し固定する。このときの基層１は、その表面が排水導体１０の下面と面一状になるように形成する。最後に、基層１上に表層２を形成して、排水導体１０を表層２内に埋設する。
【００２６】
上記のように、施工現場でコンクリートを打設して本体部３を形成する場合には、排水導体１０が一体化してある受枠４を型枠に組んだ後、コンクリートを流し込むだけで排水構造を形成できる。換言すると、排水構造を受枠４と一体的に形成しておくので、施工現場では排水構造を形成するための手間を省くことができる。なお、導水体１２は立壁４ｂに対して、圧嵌固定し、あるいはかしめ固定することができる。必要があればねじ込み固定してもよい。
【００２７】
排水導体１２は、図５（ａ）・（ｂ）に示すように角パイプや、下向きに開口する断面コ字形の形材等の金属中空体で形成することができる。もちろん、その断面形状は円形や四角形以外の多角形や楕円、あるいは凸字形等の異形断面形状であってもよい。
【００２８】
（第４実施例）
図６はこの発明をインターロッキング舗装路面に適用した第４実施例を示す。そこでの表層２は、基層１上に形成した透水性を有する下地層２ａと、下地層２ａの上面に敷設した表層ブロック２ｂとで構成し、受枠４に設けた導水体１２を表層ブロック２ｂと基層１との間に埋設した。表層ブロック２ｂは連続空隙を有する多孔体状のコンクリートブロックからなり、路面に降りそそいだ雨水を速やかに浸透させて、路面での滞水を防止できる。なお、表層ブロック２ｂは連続空隙を有するれんがや、アスファルトブロックで形成してあってもよい。
【００２９】
先の各実施例においては、排水設備Ｓが側溝である場合について説明したが、この発明の排水構造は、路面に沿って一定間隔おきに設けられる排水桝（排水設備）にも等しく適用できる。その場合の排水桝の本体部３は既成ブロックであってもよく、第３実施例と同様に、現場でのコンクリート打設によって基層１と一体に形成するものであってもよい。また、桝蓋（蓋体）は側溝における溝蓋に相当する。上記以外に、側溝Ｓの受枠４に縁石を嵌め込む場合には、縁石が本発明で言う蓋体を意味する。
【図面の簡単な説明】
【図１】排水構造の第１実施例を示す断面図である。
【図２】第１実施例の排水性舗装路面の断面図である。
【図３】排水構造の第２実施例を示す断面図である。
【図４】排水構造の第３実施例を示す断面図である。
【図５】導水体の変形例を示す斜視図である。
【図６】排水性舗装路面の第４実施例を示す断面図である。
【符号の説明】
１  基層
２  表層
３  本体部
４  受枠
５  蓋体
６  アンカーボルト
７  排水路
１０  排水導体
１１  支持体
１２  導水体
１３  排水通口
１４  通水口
Ｒ  舗装路面
Ｓ  排水設備
【図１】
0003605537.tif 000002
【図２】
0003605537.tif 000003
【図３】
0003605537.tif 000004
【図４】
0003605537.tif 000005
【図５】
0003605537.tif 000006
【図６】
0003605537.tif 000007